(57)【要約】【課題】作業性が高く、コイルを傷つけるおそれを低減することができるコイルの製造方法、コイルを提供する。【解決手段】実施形態のコイル１の製造方法は、表面に絶縁被覆が施された細線５を複数撚り合わせたリッツ線３の端部に口出し処理を施す口出し処理工程（Ｓ１〜Ｓ３）と、口出し処理が施されたリッツ線３を巻回してコイル本体２を形成する巻回工程（Ｓ４）と、を含むことを特徴とする。【選択図】図３
2018041791.tif 000002
【特許請求の範囲】
【請求項１】
表面に絶縁被覆が施された細線を複数撚り合わせたリッツ線を巻回して形成されるコイルの製造方法であって、
前記リッツ線の端部に口出し処理を施す口出し処理工程と、
前記口出し処理が施された前記リッツ線を巻回してコイル本体を形成する巻回工程と、
を含むことを特徴とするコイルの製造方法。
【請求項２】
表面に絶縁被覆が施された細線を複数撚り合わせたリッツ線を巻回して形成されるコイルであって、
予め口出し処理が施されている前記リッツ線を巻回して形成されたコイル本体を備えることを特徴とするコイル。
【請求項３】
前記コイル本体は、少なくともその表面がレジン層によりモールドされていることを特徴とする請求項２に記載のコイル。
【請求項４】
前記リッツ線は、前記コイル本体から引き出されている引き出し部位においては、少なくとも前記口出し処理を施した端部を含む一部がモールドされていないことを特徴とする請求項２または３記載のコイル。
【請求項５】
１本の前記リッツ線の端部に対して複数個の圧着端子が圧着されていることを特徴とする請求項２から４のいずれか一項記載のコイル。
【請求項６】
複数本の前記リッツ線の端部に対して１個の圧着端子が圧着されていることを特徴とする請求項２から５のいずれか一項記載のコイル
【請求項７】
前記リッツ線は、その外形が平角状に成型されており、短手方向に隣接した状態で巻回されて前記コイル本体を形成しているとともに、端部側においては厚み方向に重ねられて前記口出し処理が施されていることを特徴とする請求項２から６のいずれか一項記載のコイル。
【請求項８】
前記リッツ線は、その外形が平角状に成型されており、厚み方向に重ねられた状態で巻回されて前記コイル本体を形成しているとともに、その重なり順が内周側と外周側とで少なくとも１回入れ替えられて当該コイル本体における巻回長さが等しく形成されていることを特徴とする請求項２から６のいずれか一項記載のコイル。
【請求項９】
前記リッツ線は、前記口出し処理として、端部の前記絶縁被覆が剥離されていることを特徴とする請求項２から８記載のコイル。
【請求項１０】
前記リッツ線は、端部を剥離剤に浸した後に洗浄することによって当該端部の前記絶縁被覆が剥離されていることを特徴とする請求項９記載のコイル。
【請求項１１】
前記リッツ線は、端部を半田あげすることによって当該端部の前記絶縁被覆が剥離されていることを特徴とする請求項９記載のコイル。
【請求項１２】
前記リッツ線は、前記口出し処理として、端部が半田あげされていることを特徴とする請求項２から１０のいずれか一項記載のコイル。
【請求項１３】
前記リッツ線は、前記口出し処理として、端部に圧着端子が圧着されていることを特徴とする請求項２から１２のいずれか一項記載のコイル。
【発明の詳細な説明】
【技術分野】
【０００１】
本発明の実施形態は、リッツ線を巻回して形成されるコイルの製造方法、コイルに関する。
【背景技術】
【０００２】
従来、リッツ線を巻回して形成されるコイルが知られている。このようなコイルでは、表面に絶縁被覆が施された細線を複数撚り合わせて形成したリッツ線を採用しており、いわゆる口出しとなる圧着端子を接続する際には、絶縁被覆を剥離する等の口出し処理を施す必要がある。このとき、電気的接続を確実なものとするために、圧着端子を圧着するための各種の手法が提案されている（例えば特許文献１、２参照）。
【先行技術文献】
【特許文献】
【０００３】
【特許文献１】特開２０００−９０７４７号公報
【特許文献２】特開平６−２７５３２５号公報
【発明の概要】
【発明が解決しようとする課題】
【０００４】
しかしながら、特許文献１、２等に記載されているように、電気的接続を確実なものとしながら圧着端子を圧着することは容易ではなく、また、リッツ線の絶縁被覆を剥離する口出し処理自体も容易ではない。そして、リッツ線を巻回して形成されたコイル本体はある程度の重量があることから作業性がさらに悪化することが懸念されるとともに、絶縁被覆を剥離する工程や圧着端子を圧着する工程等においてコイルを傷つけてしまうおそれも懸念される。
そこで、作業性が高く、コイルを傷つけるおそれを低減することができるコイルの製造方法、コイルを提供する。
【課題を解決するための手段】
【０００５】
実施形態のコイルの製造方法は、表面に絶縁被覆が施された細線を複数撚り合わせたリッツ線を巻回して形成されるコイルの製造方法であって、リッツ線の端部に口出し処理を施す口出し処理工程と、口出し処理が施されたリッツ線を巻回してコイル本体を形成する巻回工程と、を含むことを特徴とする。
実施形態のコイルは、表面に絶縁被覆が施された細線を複数撚り合わせたリッツ線を巻回して形成されるコイルであって、予め口出し処理が施されているリッツ線を巻回して形成されたコイル本体を備えることを特徴とする。
【図面の簡単な説明】
【０００６】
【図１】第１実施形態によるコイルを模式的に示す図
【図２】リッツ線の構成を模式的に示す図
【図３】製造工程の流れを示す図
【図４】リッツ線を巻回してコイル本体を形成する態様を模式的に示す図
【図５】リッツ線の端部に圧着する圧着端子の一例を模式的に示す図
【図６】第２実施形態によるコイルを模式的に示す図
【図７】リッツ線の重ね順の入れ替え態様を模式的に示す図
【図８】第３実施形態によるコイルを模式的に示す図
【発明を実施するための形態】
【０００７】
以下、複数の実施形態について図面を参照しながら説明する。なお、各実施形態において実質的に共通する部位には同一符号を付して説明する。
（第１実施形態）
以下、第１実施形態について図１から図５を参照しながら説明する。図１示すように、本実施形態のコイル１は、コイル本体２と、巻回されることでコイル本体２を形成するリッツ線３と、リッツ線３の端部にそれぞれ圧着されている圧着端子４とを備えている。また、コイル１は、コイル本体２の少なくとも表面がモールド材２ａによってモールドされている。このコイル１は、例えば高周波用のリアクトルや変圧器などに用いられる。
【０００８】
ただし、モールド材２ａは、圧着端子４からコイル本体２から至る部位（以下、便宜的に引き出し部位と称する）については、リード線の圧着端子４が設けられている側の端部を含む少なくとも一部をモールドしていない。このため、引き出し部位の長さをＬ１とし、モールドされている部位の長さをＬ２とすると、それぞれの長さはＬ１＞Ｌ２の関係になっている。
【０００９】
リッツ線３は、図２（ａ）に示すように、表面に絶縁被覆が施された例えばエナメル線等の細線５を複数撚り合わせて形成されている。本実施形態の場合、リッツ線３は、細線５を撚り合わせて成型することにより、断面が矩形となる平角状に形成されている。なお、リッツ線３は、図２（ｂ）に示すように、例えば強靭なアラミド繊維テープ等の固縛帯６で固縛したり、図２（ｃ）に示すように固着材としてのレジン液を含浸させ易い不織布テープ７で覆ったりしたものであってもよい。
【００１０】
圧着端子４は、例えば変圧器においてはいわゆる口出し用となるものであり、リッツ線３の端部に図示しない圧着工具を用いて圧着されている。このとき、圧着端子４が圧着されるリッツ線３の端部は、細線５の表面の絶縁被覆が剥離されているとともに、細線５が電気的および物理的に一体になるように半田あげ処理が施されている。
本実施形態の場合、コイル１は、詳細は以下に説明するが、リッツ線３の端部に予め圧着端子４を圧着し、その後、圧着端子４が圧着されているリッツ線３を巻回することによってコイル本体２が形成されている。つまり、コイル１は、圧着端子４が圧着されている等、予め口出し処理が施されたリッツ線３を巻回して形成されたコイル本体２を備えている。
【００１１】
次に上記した構成の作用について説明する。
さて、従来の製造方法で製造されたものを便宜的に従来コイルと称するが、従来コイルは、リッツ線３を巻回してコイル本体２を形成した後、その端部に圧着端子４を圧着していた。しかし、前述のように、電気的接続を確実なものとしながら圧着端子４を圧着することは容易ではなく、また、リッツ線３の絶縁被覆を剥離すること自体も容易ではない。
【００１２】
さらに、リッツ線３を巻回して形成されるコイル本体２は数十ｋｇ程度になることもあり、作業者が作業をすることを考えると、例えば１０ｋｇ程度を超えると作業性が大きく悪化するという実情がある。また、従来コイルの場合、端部の絶縁被覆を剥離するためにコイル本体２を移動したり傾けたりする必要があり、コイル本体２や引き出し部位を傷つけてしまうおそれが高かった。
【００１３】
そこで、以下のようにコイル１を製造する。図３は、コイル１の製造方法の流れを示している。本実施形態の場合、コイル１は、剥離工程、半田あげ工程、圧着工程、巻回工程、およびモールド工程を含む製造方法により製造されている。なお、本実施形態では、リッツ線３は、所望の特性を得るために必要な巻回数に応じた長さ、且つ、コイル本体２から引き出される引き出し部位を形成可能な長さに予め切断されている。
【００１４】
剥離工程では、リッツ線３の端部の絶縁被覆が剥離される。具体的には、周知のようにリッツ線３の端部を剥離剤で満たした容器に浸し、その後、端部を洗浄液槽に浸して超音波洗浄を施して洗浄することにより、端部の表面に残留した残留物つまりは剥離した絶縁被覆を除去する。
半田あげ工程では、絶縁被覆を剥離した端部が半田あげされる。具体的には、周知のようにリッツ線３の端部を半田槽に浸すことにより、端部を半田あげする。
【００１５】
圧着工程では、リッツ線３の端部に圧着端子４が圧着される。具体的には、周知のように図示しない圧着工具を用いて所定の大きさの圧着端子４をリッツ線３の端部に圧着する（図４参照）。なお、圧着端子４の大きさ等は、コイル１の使用目的に応じて適宜設定されている。
これら剥離工程、半田あげ工程、圧着工程は、本実施形態における口出し処理工程、つまりは、リッツ線３に口出し処理を行う工程に相当する。
【００１６】
巻回工程では、図４に示すように、圧着端子４が接続されたリッツ線３を、引き出し部位を形成しつつ、必要な回数だけ治具１０に巻回することにより、コイル本体２が形成される。
つまり、本実施形態の製造方法では、剥離工程、圧着工程、半田あげ工程といった口出し処理が施す口出し処理工程を含み、その口出し処理工程において口出し処理が施されたリッツ線３を巻回してコイル本体２を形成している。
【００１７】
モールド工程では、コイル本体２にレジン液を塗布したり、コイル本体２をレジン液の槽に浸したりすること等により、少なくともホイル本体の表面をモールドする。ただし、本実施形態では、リッツ線３の引き出し部位においては、少なくとも圧着端子４が圧着されている側の端部を含む一部はモールドしない。これにより、図１に示したように、リッツ線３の引き出し部位には、圧着端子４の側にモールドされていない部位が形成される一方、コイル本体２側にはモールドされた部位が形成される。
このように、本実施形態のコイル１は、予め圧着端子４を圧着したリッツ線３、つまりは、口出し処理を施されたリッツ線３を巻回することにより形成されたコイル本体２を備えている。
【００１８】
以上説明した実施形態によれば、次のような効果を得ることができる。
実施形態のコイル１は、表面に絶縁被覆が施された細線５を複数撚り合わせたリッツ線３の端部に口出し処理を施す口出し処理工程と、口出し処理が施されたリッツ線３を巻回してコイル本体２を形成する巻回工程と、を含むことを特徴とする。より具体的には、本実施形態のコイル１は、リッツ線３の端部の絶縁被覆を剥離する剥離工程（Ｓ１）と、リッツ線３に圧着端子４を圧着する圧着工程（Ｓ３）と、圧着端子４が圧着されたリッツ線３を巻回してコイル本体２を形成する巻回工程（Ｓ４）と、を含む製造方法により製造されている。
【００１９】
このとき、リッツ線３は、剥離工程において端部の絶縁被覆が剥離されている。つまり、剥離工程では、コイル本体２を形成する前のリッツ線３に対して、絶縁被覆の剥離を行っている。このため、数十ｋｇ程度になるコイル本体２を移動したり傾けたりする作業を要する従来の製造方法に比べると、つまりは、コイル本体２を形成した後に絶縁被覆を剥離する場合に比べると、リッツ線３の取り扱いが格段に容易となっており、絶縁被覆の剥離を圧倒的に容易に行うことができる。また、コイル本体２を移動したり傾けたりする必要が無いことから、コイル本体２や引き出し部位を傷つけてしまうおそれが無い。
したがって、作業性が高く、コイル１を傷つけるおそれを低減することができる。
この場合、実施形態のように絶縁被覆を剥離した端部を半田あげする半田あげ工程（Ｓ２）を含む製造方法により製造することにより、複数の細線５を電気的および物理的に一体とすることができるとともに、圧着端子４の接続を容易に行うことができるようになる。
【００２０】
実施形態のコイル１は、表面に絶縁被覆が施された細線５を複数撚り合わせて形成され、予め口出し処理が施されているリッツ線３リッツ線を巻回して形成されたコイル本体２を備えることを特徴とする。より具体的には、本実施形態のコイル１は、端部の絶縁被覆が剥離され、その端部が半田あげされ、さらに圧着端子４が圧着されているリッツ線３を巻回して形成されたコイル本体２を備えている。
【００２１】
このようなコイル１によっても、上記した製造方法と同様に、作業性が高く、コイル１を傷つけるおそれを低減することができる。具体的には、リッツ線３を剥離剤に浸した後に洗浄することによって当該端部の絶縁被覆を剥離するので、リッツ線３の取り扱いが格段に容易となることで、作業性が改善される。
【００２２】
コイル本体２は、少なくともその表面がレジン層によりモールドされている。これにより、コイル本体２の固着および保護を行うことができる。
リッツ線３は、コイル本体２から引き出されている引き出し部位を形成しているとともに、当該引き出し部位においては、少なくとも圧着端子４が圧着されている側の端部を含む一部がモールドされていない。これにより、例えば渡り配線する際にリッツ線３の向きを自由に設定できる等、引き出し部位の使い勝手を向上させることができる。
【００２３】
リッツ線３は、圧着端子４が圧着されている側の端部が半田あげされている。これにより、複数の細線５を電気的および物理的に一体とすることができる。
また、圧着端子４は、図３に例示したように１つのリッツ線３の端部に１個圧着する構成であってもよいが、図５に示すように、リッツ線３の端部を例えば２つに分割してそれぞれに圧着する構成であってもよい。すなわち、圧着端子４は、１本のリッツ線３の端部に対して複数個が圧着されていてもよい。これにより、外部接続端子の数が多い場合等にも対応することができる。
【００２４】
また、本実施形態のコイル１の場合には、引き出し部位の長さ（Ｌ１）は、圧着端子４の圧着部位程度まで短くすることができる。このため、電気的特性が規定しづらい引き出し部位を極力短くすることができ、コイル１としてみた場合の電気的特性を精度よく規定することができる。
【００２５】
（第２実施形態）
以下、第２実施形態について図６および図７を参照しながら説明する。第２実施形態の場合、リッツ線３の構成が第１実施形態と異なっている。なお、本実施形態においても、リッツ線３は、巻回される前の段階で予め圧着端子４が圧着されている。
【００２６】
図６に示すように、本実施形態のコイル１の場合、リッツ線３は、第１実施形態と同様にその外形が平角状に成型されており、複数本が厚み方向に重ねられた状態で巻回されてコイル本体２を形成している。このリッツ線３は、コイル本体２において、その重なり順が内周側と外周側とで少なくとも１回入れ替えられている。
【００２７】
具体的には、リッツ線３は、治具１０（図４参照）の上部側から巻回していく際に最初に内周側に位置するリッツ線３ａと、外周側に位置するリッツ線３ｂとで構成されている。そして、リッツ線３は、図７（ａ）、（ｂ）に示すように、治具１０に巻回される際、ｎ回目の巻回位置においてその内周側と外周側の重なり順が入れ替えられる。
そのため、ｎ＋１回目の巻回位置においては、リッツ線３ａが外周側に位置することになるとともに、リッツ線３ｂが内周側に位置することになる。なお、重なり順を入れ替える回数は、コイル本体２の大きさや必要な巻回回数等に応じて設定すればよい。
【００２８】
このようなコイル１によっても、予め圧着端子４が圧着されているリッツ線３を巻回してコイル本体２を形成することにより、第１実施形態と同様に、作業性が高く、コイル１を傷つけるおそれを低減することができる。
また、複数本のリッツ線３ａ、３ｂを用いることにより単純計算で重量が２倍になっているような場合であっても、重たいコイル本体２を移動したり傾けたりする必要がなくなるため、作業性を大きく改善することができる。
【００２９】
また、リッツ線３ａ、３ｂは、その重なり順が内周側と外周側とで入れ替えられることにより、コイル本体２を形成する長さ、つまり、巻回されている部位の長さ（以下、巻回長さと称する）が、内周側と外周側とでほぼ等しくなる長さに形成されている。換言すると、コイル１の電気的特性を決定づける主因であるコイル本体２においては、内周側と外周側との導体の長さがほぼ一致している。
【００３０】
このため、複数本のリッツ線３を用いてコイル本体２を形成する際に、コイル１の電気的特性を精度よく決定することができる。
また、圧着端子４は、複数本のリッツ線３に対して１個が圧着されている。これにより、口出しが１つである場合等において端部の取り扱いを容易にすることができる。
【００３１】
（第３実施形態）
以下、第３実施形態について図８を参照しながら説明する。第２実施形態の場合、リッツ線３の構成が第１実施形態と異なっている。なお、本実施形態においても、リッツ線３は、巻回される前の段階で予め圧着端子４が圧着されている。
【００３２】
図８に示すように、本実施形態のコイル１の場合、リッツ線３は、第１実施形態と同様にその外形が平角状に成型されており、複数本がその短手方向に隣接した状態で巻回されてコイル本体２を形成している。また、リッツ線３は、圧着端子４が圧着される端部側においては、その厚み方向に重ねられて圧着端子４が圧着されている。
【００３３】
このようなコイル１によっても、予め圧着端子４が圧着されているリッツ線３を巻回してコイル本体２を形成することにより、第１実施形態と同様に、作業性が高く、コイル１を傷つけるおそれを低減することができる。
また、複数本のリッツ線３ａ、３ｂを用いることで単純計算で言えばコイル本体２の重量が倍になっているような場合であっても、重たいコイル本体２を移動したり傾けたりする必要がなくなるため、作業性を大幅に改善することができる。
【００３４】
（その他の実施形態）
本発明は、上記した実施形態で例示した構成にのみ限定されるものではなく、その要旨を逸脱しない範囲で任意に変形あるいは拡張することができる。
【００３５】
実施形態では口出し処理工程として剥離工程（Ｓ１）、半田あげ工程（Ｓ２）および圧着工程（Ｓ３）を例示したが、剥離工程および半田あげ工程の少なくとも一方を口出し処理工程としてもよい。例えば、絶縁被覆を剥離したリッツ線３を巻回してコイル本体２を形成し、その後に半田あげと圧着端子４の圧着とを行ってもよいし、絶縁被覆を剥離して半田あげしたリッツ線３を巻回してコイル本体２を形成してもよい。すなわち、圧着工程は、口出し工程に含めなくてもよい。これは、圧着端子４の圧着は、絶縁被覆の剥離や半田あげに比べれば、コイル本体２を形成した後であっても比較的容易に行うことができるためである。
【００３６】
また、口出し処理工程として、リッツ線３を予め設定されている長さに切断する切断工程や、第２実施形態のように内周側と外周側と巻回長さを揃える調整工程を含めてもよい。
実施形態ではリッツ線３の引き出し部位にモールドする部位とモールドしない部位とを形成したが、引き出し部位の全体をモールドしない構成であってもよい。
【００３７】
実施形態では剥離工程と半田あげ工程とを別工程とした例を示したが、圧着端子４が圧着される側の端部を半田あげすることによって端部の絶縁被覆を剥離してもよい。つまり、絶縁被覆の剥離（剥離工程）と端部の半田あげ（半田あげ工程）とを１工程で行う製造方法であってもよい。換言すると、リッツ線３は、圧着端子４が圧着されている側の端部を半田あげすることによって当該端部の絶縁被覆が剥離されていてもよい。これにより、製造工程を簡略化することができる。
【００３８】
実施形態では、リッツ線３を予め切断する例を示したが、リッツ線３の一方の端部に対して剥離工程、半田あげ工程および圧着工程を施した後、リッツ線３を所定の長さに切断し、他方の端部に対して剥離工程、半田あげ工程および圧着工程を施すようにしてもよい。つまり、一方の端部にのみ圧着端子４を先付けし、他方の端部は巻回後に圧着端子４を圧着するようにしてもよい。
【００３９】
各実施形態ではコイル１にはコイル本体２が１つである例を示したが、複数のコイル本体２を組み合わせてコイル１としてもよい。例えば、第２実施形態および第３実施形態では１つコイル本体２を複数のリッツ線３で構成し、その複数のリッツ線３を１つの圧着端子４で圧着する例を示したが、１本のリッツ線３で形成したコイル本体２を複数用い、各コイル本体２から出ているリッツ線３を１つの圧着端子４で圧着する構成であってもよい。これは、複数のコイル本体２を並列に接続する場合や、複数のコイル本体２を直列に接続してその中間口出しを形成する場合等に有用である。また、複数本のリッツ線３で形成したコイル本体２を複数用いて１つのコイル１を構成してもよい。
【００４０】
第２実施形態においてリッツ線３を重ねる本数や、第３実施形態においてリッツ線３を並べる本数は、実施形態で例示した２本に限定されることは無く、任意の本数を設定することができる。
【００４１】
実施形態のように予めリッツ線３に圧着端子４を接続する場合には、例えば巻回回数や引き出し部位の長さを計算してリッツ線３の長さを決定しても、巻回後のリッツ線３に撓みが生じる可能性がある。例えば、第２実施形態のリッツ線３の場合には、並び順を入れ替えて長さを調整するとしても、内周側のリッツ線３と外周側のリッツ線３との若干の長さのずれに起因する撓みが生じる可能性がある。また、第１実施形態や第３実施形態のリッツ線３の場合には、各リッツ線３の内周側と外周側とで若干の長さのずれに起因する撓みが生じる可能性がある。
【００４２】
そして、この撓みは、巻き終わり側の引き出し部位に顕著に生じると考えられる。つまり、巻始め側はリッツ線３をきちんと揃えて巻回するものの、巻回中にずれが生じ、そのずれが蓄積されて、巻き終わり側の端部に現れると考えられる。そのため、変圧器等の比較的大型の装置に使われることを想定したものにおいて一方の端部側においてリッツ線３が揃っており、他方の端部側において細線５に撓みが生じているコイル１は、予め圧着端子４を接続したリッツ線３を巻回してコイル本体２を形成する本発明の製造方法により製造されたものであると考えられる。換言すると、両側の引き出し部位において共に細線５の撓みや歪みが無いもの以外は、本発明の製造方法により製造されたものであると考えられる。
【００４３】
また、コイル１を形成した後にリッツ線３の端部の絶縁被覆を剥離するためには、引き出し部位にある程度の長さが必要となる。そのため、引き出し部位の長さ（Ｌ１。図１参照）が非常に短いもの、例えば圧着端子４用の圧着工具が挿入できる程度の長さの引き出し部位を有しているものは、予め圧着端子４を接続したリッツ線３を巻回してコイル本体２を形成する本発明の製造方法により製造されたものであると考えられる。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
図面中、１はコイル、２はコイル本体、２ａはモールド材、３、３ａ、３ｂはリッツ線、４は圧着端子、５は細線を示す。
【図１】
2018041791.tif 000003
【図２】
2018041791.tif 000004
【図３】
2018041791.tif 000005
【図４】
2018041791.tif 000006
【図５】
2018041791.tif 000007
【図６】
2018041791.tif 000008
【図７】
2018041791.tif 000009
【図８】
2018041791.tif 000010